(57)【特許請求の範囲】
【請求項１】
第１の画像群から選択された第１の断層像と、前記第１の画像群と関連する第２の画像群から選択された断層像であって前記第１の断層像と同一部位または最も近い部位である第２の断層像と、を表示画面に同期表示させる表示制御部を備え、
前記表示制御部は、前記第１の断層像上に設定・更新された第１の関心領域を示す枠に対応させて、前記第２の断層像上の対応する箇所に第２の関心領域を示す枠を表示させる医用画像表示装置において、
前記表示制御部は、前記第１の断層像の選択が更新されると、選択が更新される前に同期表示された第２の断層像から、選択が更新された後に同期表示される第２の断層像までの一連の画像を、所定の時間待った後で順次、連続表示させることを特徴とする医用画像表示装置。
【発明の詳細な説明】
【０００１】
【発明の属する技術分野】
本発明は医用画像表示装置に関し、特に異なった検査日に撮った画像を対応づけて表示し、比較しやすくする医用画像表示装置に関する。
【０００２】
【従来の技術】
健康診断などでは定期的にＣＴ画像を撮り、経過観察が行われる。癌であれば時間とともに大きくなるので、異なった検査日に撮った画像を同じ画面に表示して比較することが行われている。
【０００３】
【発明が解決しようとする課題】
しかしながら、同じ人であっても異なった検査日にＣＴ画像を撮ると一般に撮る範囲やスライス厚さなどの撮影条件が変わるため、比較するには医師が同じ撮影箇所の画像を捜しては表示しなければならないという欠点があった。
【０００４】
また、複数枚の検査画像を連続表示して見る場合、一方の検査画像を見てから比較のために他方の検査画像を見るまでに医師が顔を向けるまでの時間がなく、他方の検査画像を最初から見られないという欠点があった。
【０００５】
本発明はこのような事情に鑑みてなされたもので、２つ画像群から同一部位の断面画像を容易に比較することができる医用画像表示装置を提供することを目的とする。
【０００６】
【課題を解決するための手段】
本発明は上記目的を達成するために、第1の画像群から選択された第1の断層像と、前記第1の画像群と関連する第2の画像群から選択された断層像であって前記第1の断層像と同一部位または最も近い部位である第2の断層像と、を表示画面に同期表示させる表示制御部を備えた医用画像表示装置において、前記表示制御部は、前記第1の断層像上に設定・更新された第1の関心領域を示す枠に対応させて、前記第2の断層像上の対応する箇所に第2の関心領域を示す枠を表示させることを特徴とする。
【００１０】
【発明の実施の形態】
以下添付図面に従って本発明に係る医用画像表示装置の好ましい実施の形態について詳説する。
【００１１】
先ず、本発明の原理について説明する。図１に示すように、ＣＲＴモニタ１４８の画面に２つの異なる検査日に撮影した連続画像のうちの１つの画像１０、１２をそれぞれ表示する。図１では、平成１０年８月２３日に検査したＣＴ画像（ＭＲその他の画像でもよい）（検査Ａの画像１０）と平成１１年８月２７日に検査したＣＴ画像（ＭＲその他の画像でもよい）（検査Ｂの画像１２）とを表示する。
【００１２】
操作者が前記２つの画像１０、１２を見て、同一部位或いは最も近くの部位の画像であることを確認したら同期ボタン１４をクリックする。
【００１３】
同期づけられた画像を基準にして、図２（ａ）、（ｂ）に示すように、患者を載せ撮影装置内をくぐらせるベッド位置とスライス厚さの情報から２検査画像を対応づける。検査ＡのベッドメモリＡｋと検査ＢのベッドメモリＢｉとが対応づけの基準となり、その他の画像が対応づけされる。例えば、図２（ａ）に示すように検査ＢのベッドメモリＢｉ＋１に対応するのは検査ＡのベッドメモリＡｋ＋１とＡｋ＋２との間の画像となり、補間演算により求めるか或いはベッドメモリＡｋ＋１とＡｋ＋２とのうち近い方の画像で代用する。また、図２（ｂ）に示すように、検査ＡのベッドメモリＡｋ−１に対応するのは検査ＢのベッドメモリＢｉとＢｉ−１との間の画像となり、補間演算により求めるか或いはベッドメモリＢｉとＢｉ−１とのうち近い方の画像で代用する。
【００１４】
操作者が一方の画像を更新させると、他方の対応付けた画像も自動的に更新する。例えば、検査ＡのベッドメモリＡｋからＡｋ＋ｍまでの画像が表示されたら、検査ＢのベッドメモリＢｉからＢｉ＋ｎまでの画像が自動的に順次表示される。
【００１５】
図３は本発明の医用画像表示装置の表示手順を示すフローチャートである。
【００１６】
先ず、図１に示すように、画面に２つの異なる検査日に撮影した画像１０、１２をそれぞれ表示する（ステップ２０）。
【００１７】
操作者が表示された２つの画像１０、１２を見て、同一部位あるいは最も近くの部位の画像であることを確認したら、同期ボタン１４をクリックする（ステップ２１）。
【００１８】
ステップ２１で同期づけられた画像を基準にして、図３に示すように、ベッド位置とスライス厚さの情報から２検査画像を対応づける（ステップ２２）。
【００１９】
フラグＡ１＝フラグＢ１＝フラグＡ２＝フラグＢ２＝０とする（ステップ２３）。フラグＡ１が１のときは検査Ａの画像がベッドメモリの増える方向に入れ替わったことを示し、フラグＡ２が１のときは検査Ａの画像がベッドメモリの減る方向に入れ替わったことを示す。フラグＢ１が１のときは検査Ｂの画像がベッドメモリの増える方向に入れ替わったことを示し、フラグＢ２が１のときは検査Ｂの画像がベッドメモリの減る方向に入れ替わったことを示す。
【００２０】
検査Ａの次ボタン１６がクリックされたかどうかを判定する（ステップ２４）。検査Ａの次ボタン１６がオンなら、フラグＡ１＝１となり検査Ａの次の画像（例えば、ベッドメモリＡｋ＋１→Ａｋ＋２）を表示する（ステップ４０）。その後ステップ２４に戻る。
【００２１】
ステップ２４で検査Ａの次ボタン１６がオフなら、フラグＡ１＝１かどうかを判定する（ステップ２５）。フラグＡ１＝１ならデイレイ時間待ち（ステップ４１）、画像Ａが変化分だけ対応する一連の画像Ｂを連続表示する（ステップ４２）。例えば、検査Ａの画像がベッドメモリＡｋからＡｋ＋ｍまで変化したなら、検査Ｂの画像もベッドメモリＢｉからＢｉ＋ｎまで順次表示する。フラグＡ１＝０としステップ２４に戻る。
【００２２】
ステップ２５でフラグＡ１＝０の場合、検査Ａの前ボタン１８がオンかどうかを判定する（ステップ２６）。検査Ａの前ボタン１８がオンなら、フラグＡ２＝１となり検査Ａの一枚前の画像（例えば、ベッドメモリＡｋ＋２→Ａｋ＋１）を表示する（ステップ３４）。その後ステップ２４に戻る。
【００２３】
ステップ２６で検査Ａの前ボタン１８がオフなら、フラグＡ２＝１かどうかを判定する（ステップ２７）。フラグＡ２＝１ならデイレイ時間待ち（ステップ３５）、検査Ａの画像が変化した分だけ対応する検査Ｂの一連の画像を表示する（ステップ３６）。フラグＡ２＝０としステップ２４に戻る。
【００２４】
ステップ２７でフラグＡ２＝０なら、検査Ｂの次ボタン２０がオンかどうかを判定する（ステップ２８）。検査Ｂの次ボタン２０がオンなら、フラグＢ１＝１となり検査Ｂの次の画像を表示する（ステップ４３）。その後ステップ２４に戻る。
【００２５】
ステップ２８で検査Ｂの次ボタン２０がオフなら、フラグＢ１＝１かどうかを判定する（ステップ２９）。フラグＢ１＝１ならデイレイ時間待ち（ステップ４４）、検査Ｂの画像が変化した分だけ対応する検査Ａの一連の画像を連続表示する（ステップ４５）。フラグＢ１＝０としステップ２４に戻る。
【００２６】
ステップ２９でフラグＢ１＝０なら、検査Ｂの前ボタン２２がオンかどうかを判定する（ステップ３０）。検査Ｂの前ボタン２２がオンなら、フラグＢ２＝１となり検査Ｂの前の画像を表示する（ステップ３７）。その後ステップ２４に戻る。
【００２７】
ステップ３０で検査Ｂの前ボタン２２がオフなら、フラグＢ２＝１かどうかを判定する（ステップ３１）。フラグＢ２＝１ならデイレイ時間待ち（ステップ３８）、検査Ｂの画像の変化分だけ対応する検査Ａの一連の画像を表示する（ステップ３９）。例えば、検査Ｂの画像がベッドメモリＢｉからＢｉ＋ｎまで変化したなら、検査Ａの画像もベッドメモリＡｋからＡｋ＋ｍまで順次表示する。フラグＢ２＝０としステップ２４に戻る。
【００２８】
ステップ３１でフラグＢ２＝０なら、遅れ設定ボタン２４がオンかどうかを判定する（ステップ３２）。遅れ設定ボタン２４がオンならデイレイ時間をキーボードなどにより入力し（ステップ４６）、終了ボタン２６がオンかどうかを判定する（ステップ３３）。ステップ３２で遅れ設定ボタン２４がオフならステップ３３に進む。
【００２９】
ステップ３３で終了ボタン２６がオンなら終了し、オフならステップ２４に戻る。
【００３０】
ＲＯＩ設定ボタン２８をクリックし一方の画像上に関心領域（例えば関心領域Ａ）を設定することによって点線で表示され、他方の画像の対応する箇所に関心領域（例えば関心領域Ｂ）が点線で表示される。何れか一方の関心領域を移動させると他方も対応する領域に移動する。
【００３１】
図１では２つの画像を同一ＣＲＴモニタ１４８の画面に表示したが、図４に示すようにコンピューター１００に接続された別々のＣＲＴモニタ１４８ａ、ｂの画面に表示してもよい。また、図１では画像変更に次ボタン１６、２０、前ボタン１８、２２をオンオフ操作したが、図４のようにスライドバー３０、３２をドラッグすることによって行ってもよい。更に、遅れ時間の設定もキーボード等で入力しなくともスライドバー３４でをドラッグすることによって行ってもよい。
【００３２】
図５に本発明の適用可能なハードウエア構成例を示す。この医用画像表示装置は、例えばＸ線ＣＴ装置で被検体の対象部位について収集した医用画像データを記録し表示するもので、各構成要素の動作を制御する中央演算処理装置（ＣＰＵ）１４０と、装置の制御プログラムが格納された主メモリ１４２と、複数の断層像及び画像再構成プログラム等が格納された磁気ディスク１４４と、再構成された画像データを表示するために記憶する表示メモリ１４６と、この表示メモリ１４６からの画像データを表示するＣＲＴモニタ１４８と、位置入力手段としてのマウス１５０と、マウス１５０の状態を検出してＣＲＴモニタ１４８上のマウスポインタの位置やマウス１５０の状態等の信号をＣＰＵ１４０に出力するマウスコントローラ１５２と、各種の操作指令等を入力するキーボード１５４と、上記各種構成要素を接続する共通バス１５６とから構成される。
【００３３】
【発明の効果】
以上説明したように本発明によれば、現在表示されている第１の断層像が更新されると、現在表示されている第２の断層像を、前記更新された第１の断面像と同一の断面位置又は最も近い断面位置の第２の断層像に自動的に更新させることによって、常に同一の断面位置又は最も近い断面位置の２つの画像を容易に比較することができ、比較するために医師が同じ撮影箇所の画像を捜す必要がなくなった。
【図面の簡単な説明】
【図１】本発明の医用画像表示装置の画面構成図
【図２】二検査の対応付け方法を示す説明図
【図３】本発明の医用画像表示装置の表示手順を示すフローチャート
【図４】本発明の他の画面構成図
【図５】本発明の適用可能なハードウエア構成図
【符号の説明】
１０、１２…画像、１４…同期ボタン、１６、２０…次ボタン、１８、２２…前ボタン、１４０…ＣＰＵ、１４２…主メモリ、１４８…ＣＲＴモニタ、１５０…マウス
【図１】
0004491091.tif 000002
【図２】
0004491091.tif 000003
【図３】
0004491091.tif 000004
【図４】
0004491091.tif 000005
【図５】
0004491091.tif 000006